(57)【要約】【課題】  施工性が向上した照明器具を提供する。【解決手段】  照明器具は、光源部と、光源部を点灯する点灯装置と、点灯装置の電力供給線が接続される端子台８と、光源部と点灯装置と端子台８とを収納するとともに一面に外部電源の電源線４が挿通される電源線挿通孔１ｅが形成された器具本体１とを備え、端子台８は器具本体１の電源線挿通孔１ｅの近傍に、器具本体１の内側面１ｇとの間に電源線４の収納スペースＳを有して配置収納され、電源線挿通孔１ｅから器具本体１内に挿入された電源線４は、収納スペースＳ内において器具本体１の上面に略並行する面内で折り返されて端子台８に接続され、器具本体１には電源線４を収納スペースＳ内に納める仕切板２が設けられている。【選択図】図１
2006172894.tif 000002
【特許請求の範囲】
【請求項１】
光源部と、光源部を点灯する点灯装置と、点灯装置の電力供給線が接続される端子台と、光源部と点灯装置と端子台とを収納するとともに一面に外部電源の電源線が挿通される電源線挿通孔が形成され他面に光源部の光を外方へ出射する開口が形成された器具本体とを備え、前記端子台は器具本体の電源線挿通孔の近傍に、器具本体の内側面との間に前記電源線の収納スペースを有して配置収納され、前記電源線挿通孔から器具本体内に挿入された前記電源線は、前記収納スペース内の器具本体の一面に略並行する面内で折り返されて前記端子台に接続され、前記器具本体には前記電源線を収納スペース内に納める仕切板が設けられていることを特徴とする照明器具。
【請求項２】
前記端子台は、前記電源線が接続される部位を、器具本体の一面に略並行する面内において器具本体の中心方向に向かないようにして器具本体内に収納されていることを特徴とする請求項１に記載の照明器具。
【請求項３】
前記点灯装置に一端が接続された電力供給線は、器具本体の一面に略並行する面内において、前記端子台に接続されていることを特徴とする請求項１又は請求項２に記載の照明器具。
【発明の詳細な説明】
【技術分野】
【０００１】
本発明は、照明器具に関するものである。
【背景技術】
【０００２】
従来から、天井や壁面等の取付面に取り付けられる照明器具が提供されており、このような照明器具は、取付面に設けられた電源線が接続される端子台を備えている。
【０００３】
例えば、端子台を器具本体に取り付けるための部品取付具として、ソケットが取り付けられる底板部と、底板部の左右から上方に延設された一対の側板部と、両側板部から底板部に平行する方向に延設され器具本体に取り付けられる上板部とを備えたものを用い、一方の側板部の外面側に端子台を取り付けたものが提供されている（特許文献１）。
【特許文献１】特開平７−４５１１６号公報（第１図）
【発明の開示】
【発明が解決しようとする課題】
【０００４】
ところで、上記の照明器具では、端子板が取り付けられた側板部の内面側に器具本体外部から電源線が挿入され、電源線を側板部の内面側から外面側へ折り曲げて端子台に接続しているから、電源線の曲げが非常に強くなるという問題があった。特に、天井や壁面等に設けられる平型ビニル絶縁ビニルシースケーブル（ＶＶＦ）や丸型ビニル絶縁ビニルシースケーブル（ＶＶＲ）等の比較的硬い電源線を端子台に接続する際には、これら硬い電源線を強く曲げなくてはならないために、施工性が非常に悪かった。
【０００５】
本発明は上記事情に鑑みて為されたものであり、その目的とするところは、施工性が向上した照明器具を提供することにある。
【課題を解決するための手段】
【０００６】
上述の課題を解決するために、請求項１の発明では、光源部と、光源部を点灯する点灯装置と、点灯装置の電力供給線が接続される端子台と、光源部と点灯装置と端子台とを収納するとともに一面に外部電源の電源線が挿通される電源線挿通孔が形成され他面に光源部の光を外方へ出射する開口が形成された器具本体とを備え、前記端子台は器具本体の電源線挿通孔の近傍に、器具本体の内側面との間に前記電源線の収納スペースを有して配置収納され、前記電源線挿通孔から器具本体内に挿入された前記電源線は、前記収納スペース内の器具本体の一面に略並行する面内で折り返されて前記端子台に接続され、前記器具本体には前記電源線を収納スペース内に納める仕切板が設けられていることを特徴とする照明器具とした。
【０００７】
請求項１の発明によれば、器具本体の内側面と端子台との間の広い空間を電源線の収納スペースとして利用し、この収納スペース内において電源線を器具本体の一面に略並行する面内で折り返して端子台に接続しているので、従来のように電源線を強く曲げなくて済み、ＶＶＦやＶＶＲといった比較的硬い電源線であっても容易に端子台に接続することができるようになり、これにより施工性が向上する。
【０００８】
請求項２の発明では、請求項１の発明の構成に加えて、前記端子台は、前記電源線が接続される部位を、器具本体の一面に略並行する面内において器具本体の中心方向に向かないようにして器具本体内に収納されていることを特徴とする照明器具とした。
【０００９】
請求項２の発明によれば、端子部が器具本体の中心方向に向かないようにしているので、器具本体の中央部を避けて電源線を端子台に接続することができ、例えば、器具本体を吊りボルト等で吊り下げる際に、吊りボルトと電源線とが接触、干渉することを防止することができる。
【００１０】
請求項３の発明では、請求項１又は２の発明の構成に加えて、前記点灯装置に一端が接続された電力供給線は、器具本体の一面に略並行する面内において、前記端子台に接続されていることを特徴とする照明器具とした。
【００１１】
請求項３の発明によれば、端子台と器具本体の内側面との間を電力供給線の収納用のスペースとして利用できるようになり、これにより器具本体の薄型化、小型化を図ることができる。
【発明の効果】
【００１２】
本発明の照明器具によれば、器具本体の内側面と端子台との間の広い空間を電源線の収納スペースとして利用し、この収納スペース内において、電源線を器具本体の一面に略並行する面内で折り返して端子台に接続しているので、従来のように電源線を強く曲げなくて済み、ＶＶＦやＶＶＲといった比較的硬い電源線であっても端子台に容易に接続することができるようになって、施工性が向上するという効果がある。
【発明を実施するための最良の形態】
【００１３】
本発明の照明器具の実施形態について図１〜図４を参照して説明する。
【００１４】
本実施形態の照明器具は、天井面に形成された丸型孔に埋込設置されるダウンライトであり、図１〜図３に示すように、コンクリートスラブ等の建物躯体（図示せず）から垂下された吊りボルト（取付ボルト）Ｂに吊り下げられる。
【００１５】
照明器具は、光源部３と、光源部３を点灯する点灯装置５と、点灯装置５の電源線（電力供給線）６が接続される端子台８と、光源部３と点灯装置５と端子台８とを収納するとともに一面（上面）に外部電源（図示せず）の電源線４が挿通される電源線挿通孔１ｅが形成され他面（下面）に光源部３の光を外方へ出射する開口１ｆが形成された器具本体１とを備え、端子台８は図１に示すように器具本体１の電源線挿通孔１ｅの近傍に、器具本体１の内側面１ｇとの間に電源線４の収納スペースＳを有して配置収納され、電源線挿通孔１ｅから器具本体１内に挿入された電源線４は、収納スペースＳ内において器具本体１の上面に略並行する面内で折り返されて端子台８に接続され、器具本体１には電源線４を収納スペースＳ内に納める仕切板２（図２（ａ）参照）が設けられている。
【００１６】
器具本体１は、図２及び図３に示すように、円筒状の側壁部１ａと、側壁部１ａの上面開口を閉塞して器具本体１の上面となる円盤状の天板部１ｂと、側壁部１ａの下端から側方へ突出し天井材Ｃの周部が載置される鍔部１ｃとを一体に備え、側壁部１ａの下面開口が、光源部３からの光を外方へ出射するための開口１ｆとなっている。天板部１ｂの中央部には、建物躯体から垂下された吊りボルトＢが挿通される吊下孔１ｄが形成されるとともに、吊下孔１ｄの側方には外部電源の電源線４が挿通される一対の電源線挿通孔１ｅ，１ｅが形成されている。また、天板部１ｂの下面側には、図１に示すように、電源線４を接続する端子台８が取り付けられる垂下片１０と、仕切板２が取り付けられる一対の腕部１１とがそれぞれ取付ねじ１１０，１１１を用いて取着され、鍔部１ｃの下面側には枠体７を取り付ける取付ねじ１０７に対応したねじ孔１２ａが形成された枠体７取付用の取付片１２が鍔部１１ｃを周方向に三等分するように固着されている。
【００１７】
垂下片１０は、取付ねじ１１０がそれぞれ螺着される一対のねじ孔（図示せず）を有する横片部１０ａと、端子台８が取り付けられる縦片部１０ｂとを備えてＬ字状に形成され、縦片部１０ｂの先端部には、仕切板２の脱落防止手段となる連結具９を取り付ける連結孔１０ｃが形成されている。
【００１８】
腕部１１は、器具本体１に取り付ける取付ねじ１１１がそれぞれ螺着される一対のねじ孔（図示せず）が形成された取着片１１ａと、仕切板２を係止する係止部となる係止ねじ１０２を螺着するねじ孔（図示せず）が形成された取付片１１ｃと、取着片１１ａと取付片１１ｃとを連結する連結片１１ｂとを一体に備えて、略コ字状に形成されている。取付片１１ｃのねじ孔には、図２（ｂ）に示すように、係止ねじ１０２が螺着されている。このとき、係止ねじ１０２は、頭部１０２ａと取付片１１ｃとの間の長さ寸法が仕切板２の板厚程度となるように突出させてあり、腕部１１，１１を器具本体１の天板部１ｂに取り付けた際には、各腕部１１の係止ねじ１０２が互いに天板部１ｂの中心に対して点対称となるようにしてある。
【００１９】
仕切板２は、図２（ｂ）に示すように、円板状に形成されている。この仕切板２には、上記の各腕部１１の係止ねじ１０２に係止される係止孔２０，２０が、互いに仕切板２の中心に対して点対称となる位置に形成されている。ここで、係止孔２０は、係止ねじ１０２の頭部１０２ａより大径な大径部２０ａと、頭部１０２ａより小径な小径部２０ｂとを連続させた形状の所謂だるま孔である。また、仕切板２には、光源部３を取り付ける取付ねじ１０３に対応する一対のねじ孔（図示せず）と、点灯装置５を係止する係止ねじ１０５，１０５に対応する一対のねじ孔（図示せず）と、点灯装置５のリード線Ｌが挿通される挿通孔２１と、連結具９を取り付ける連結孔２２と、点灯装置５の電源線６を結束して張力止めとなる結束具２４が取り付けられる一対の挿通孔２３，２３とを備えている。
【００２０】
光源部３は、複数のＬＥＤ３０、本実施形態では図３（ｂ）に示すように、正五角形の各頂点位置及び中心位置に計６個のＬＥＤ３０が実装されたプリント基板（図示せず）と、このプリント基板に被着されるレンズ体３１とから構成されている。レンズ体３１は、透光性を有する部材から薄肉の円柱状に形成されており、上面側には各ＬＥＤ３０に対応した凹部３１ｃが形成されたプリント基板の収納部３１ｂを備え、レンズ体３１の側周面の上端側には、一対の突片３１ａ，３１ａが一体に突設されている。この突片３１ａには、レンズ体３１を仕切板２に取り付ける取付ねじ１０３が挿通される切欠（図示せず）が形成されている。
【００２１】
点灯装置５は、図２（ｂ）に示すように、光源部３の各ＬＥＤ３０の点灯制御を行う点灯回路ブロック（図示せず）を直方体状の筐体５０に収納して構成され、この筐体５０の長手方向一端側からは、光源部３のプリント基板と電気的に接続されるリード線Ｌと、端子台８に電気的に接続されて外部電源の電源線と電気的に接続される器具内電線である電源線６とが導出されている。また筐体５０の短手方向の両側部には突片５０ａ，５０ａが互いに短手方向において重複しないように突設され、各突片５０ａには係止孔５１が形成され、係止孔５１は、係止ねじ１０５の頭部１０５ａより大径な大径部と、頭部１０５ａより小径な小径部とが連続した形状の所謂だるま孔となっている。
【００２２】
枠体７は、図２（ａ）及び図３（ｂ）に示すように、上端から下端へいくにつれて拡径となる円筒状の側壁部７ａと、側壁部７ａの下端から側方へ突出し取付ねじ１０７が挿通される挿通孔７ｃを備えて器具本体１の鍔部１ｃと重複する環状のフランジ部７ｂとを一体に備え、側壁部７ａの内周面が、側壁部７ａの上端開口から入射された光源部３からの光を下方へ反射する反射面となっている。
【００２３】
端子台８は、図４（ａ）に示すように、外部電源の電源線４が接続される入力側端子部８０と、入力側端子部８０に隣接して点灯装置５の電源線６が接続される出力側端子部８１とを備えており、外部電源の電源線４と点灯装置５の電源線６とを電気的に接続するものである。尚、端子台８は、実際は図２（ｂ）及び図４に示す位置には存在しないものであるが、説明の簡略化のためにあえて図示している。
【００２４】
連結具９は、図２（ｂ）に示すように、ワンタッチで取付可能なスプリングフック等の連結部９０ａ，９０ｂを紐部９１の両端に設けて構成され、仕切板２の器具本体１からの脱落を防止する脱落防止手段となるものである。また、紐部９１の長さ寸法は、電源線６の長さ寸法より小さく設定してあり、これにより図２（ｂ）に示すように仕切板２を器具本体１から取り外した状態で、電源線６に荷重がかからないようになり、電源線６の断線等を防止することができる。
【００２５】
以上の構成部材により本実施形態の照明器具は構成されており、本実施形態の照明器具において各構成部材は次のようにして取り付けられている。
【００２６】
器具本体１には、垂下片１０と、一対の腕部１１と、３つの取付片１２とが取り付けられている。垂下片１０は、横片部１０ａの上面を器具本体１の天板部１ｂの下面に当接させ、縦片部１０ｂを側壁部１ａに近接させるとともに、横片部１０ａの一対のねじ孔（図示せず）に天板部１ｂを挿通させた取付ねじ１１０，１１０をそれぞれ螺入することで器具本体１に取り付けられるが、このとき垂下片１０は、図１に示すように、電源線挿通孔１ｅの近傍で、かつ、垂下片１０に端子台８を取り付けた際に端子台８の入力側端子部８０と器具本体１の内側面１ｇとの間に電源線４の収納スペースＳを確保できる位置に取り付けておく。腕部１１は、取着片１１ａの上面を器具本体１の天板部１ｂの下面に当接させて、天板部１ｂを挿通させた取付ねじ１１１，１１１を一対のねじ孔（図示せず）にそれぞれ螺入して器具本体１に取り付けられている。このようにして器具本体１に取り付けられた腕部１１，１１は、図１や図３（ａ）に示すように、天板部１ｂの中心に対して互いに点対称となっている。取付片１２は、上述したように、器具本体１の鍔部１ｃの下面側に、鍔部１ｃを周方向に三等分するように固着されている。
【００２７】
器具本体１には、光源部３と点灯装置５とが取り付けられた仕切板２と、端子台８と、連結具９とが次のようにして収納されている。
【００２８】
端子台８は、器具本体１に取り付けられた垂下片１０の縦片部１０ｂの先端側（下端側）に取付ねじ１０８を用いて、各端子部８０，８１がそれぞれ器具本体１の内側面１ｇを向くようにして取り付けられている。このとき、上述した位置に垂下片１０を取り付けているので、図１に示すように、端子台８の入力側端子部８０と器具本体１の内側面１ｇとの間に電源線４の収納スペースＳが形成されることになる。
【００２９】
光源部３は、ＬＥＤ３０を凹部３１ｃにそれぞれ対応させてプリント基板をレンズ体３１の収納部３１ｂに収納し、このレンズ体３１を仕切板２の下面に配置してレンズ体３１の各突片３１ａの切欠（図示せず）に取付ねじ１０３を挿通させ、取付ねじ１０３をこの取付ねじ１０３に対応して仕切板２に形成された一対のねじ孔（図示せず）に螺着することで、仕切板２に取り付けられている。
【００３０】
点灯装置５は、図２（ｂ）に示すように、仕切板２の上面側に突設された一対の係止ねじ１０５の頭部１０５ａをそれぞれ筐体５０の突片５０ａに開口した係止孔５１の大径部に挿通させた後に、点灯装置５を仕切板２の上面に沿ってスライドさせて係止ねじ１０５を大径部から小径部へ移動させることで仕切板２に取り付けられている。そして、この点灯装置５の筐体５０から導出されたリード線Ｌは、仕切板２の挿通孔２１を介してプリント基板に電気的に接続され、筐体５０から導出された電源線６は、一対の挿通孔２３，２３を通る結束具２４により仕切板２に結束されるとともに、端子台８の出力端子部８１に電気的に接続されている。このとき、端子台８を垂下片１０の下端側に位置させることで仕切板２に近接配置してあり、これにより電源線６の長さ寸法が短くて済むようになるので、電源線６にかかるコストを削減することができる。
【００３１】
このようにして光源部３と点灯装置５とが取り付けられた仕切板２は、器具本体１の一対の腕部１１，１１に取り付けられることになるが、この取り付けは次のようにして行われる。まず、各腕部１１の係止ねじ１０２の頭部１０２ａを上方から仕切板２の係止孔２０の大径部２０ａにそれぞれ挿通させ、この後に仕切板２の中心軸を回転軸として仕切板２を回転させて、係止ねじ１０２を小径部２０ｂへ移動させる。そうすると、頭部１０２ａより小径な小径部２０ｂによって係止ねじ１０２が係止孔２０から抜けなくなり、これにより仕切板２を腕部１１，１１に容易に取り付けることができる。一方、仕切板２を取り外す際には、仕切板２の中心軸を回転軸として仕切板２を回転させて、係止ねじ１０２を小径部２０ｂから大径部２０ａに移動させればよい。
【００３２】
連結具９は、一方の連結部９０ａが保持片１０に連結孔１０ｃを用いて取着されるとともに、他方の連結部９０ｂが仕切板２に連結孔２２を用いて取着され、これにより仕切板２と器具本体１とが紐部９１で繋がれ、仕切板２を器具本体１から外した際に、不注意による仕切板２の脱落等を防止することができ、また上述したように紐部９１の長さ寸法を電源線６の長さ寸法より小さく設定していることによって、連結具９で仕切板２を器具本体１に吊り下げた際に、電源線６に仕切板２（仕切板２に取り付けられた光源部３や点灯装置５を含む）の荷重がかからなくなり、電源線６の断線等を防止することができる。
【００３３】
上記のようにして光源部３と点灯装置５とが取り付けられた仕切板２と、端子台８と、連結具９とが収納された器具本体１には、枠体７が取り付けられている。枠体７の器具本体１への取り付けは、側壁部７ａを器具本体１内に挿し入れるとともに、フランジ部７ｂを鍔部１ｃに重複させ、フランジ部７ｂの各挿通孔７ｃを挿通させた取付ねじ１０７を鍔部１ｃに設けられた取付片１２のねじ孔１２ａにそれぞれ螺着することで行われている。
【００３４】
以上により本実施形態の照明器具は組み立てられており、この照明器具の天井への埋め込み設置は、次のようにして行う。まず、枠体７及び仕切板２を外しておき（仕切板２は腕部１１，１１から外しておけば十分であり、連結具９まで外す必要はない）、図４（ａ）に示すように、吊りボルトＢを天板部１ｂの吊下孔１ｄに挿通させ、吊りボルトＢに器具本体１を支持する支持ナットＮを螺着して器具本体１を吊りボルトＢに吊り下げる。次に、外部電源の電源線４を器具本体１の電源線挿通孔１ｅを介して器具本体１内に挿入し、図１に示すように、収納スペースＳ内において、器具本体１の上面に略並行な面内で略Ｕ字状に折り返して、端子台８の入力側端子部８０に接続する。この後に、仕切板２を取り付けるとともに、点灯装置５の電源線６を端子台８の出力側端子部８１に接続する。このとき図４（ｂ）に示すように、電源線４が収納スペースＳから器具本体１の下方へ侵出していても、仕切板２によって収納スペースＳ内に納めることができる。そして、仕切板２を取り付けた後に、枠体７を取り付け、鍔部１ｃに天井材Ｃの周部を載置することで照明器具が天井に埋め込み設置される。
【００３５】
したがって、本実施形態の照明器具によれば、器具本体１の内側面１ｇと端子台８との間の広い空間を電源線４の収納スペースＳとして利用し、この収納スペースＳ内において電源線４を器具本体１の上面に略並行する面内で折り返して端子台８に接続しているので、従来のように電源線を強く曲げなくて済み、例えばＶＶＲやＶＶＦといった比較的硬い電源線であっても容易に端子台に接続することができるようになり、これにより照明器具の施工性が向上する。また、たとえ電源線４が収納スペースＳから器具本体１の下方へはみ出したとしても、仕切板２を取り付けるだけで容易に電源線４を収納スペースＳ内に納めることができるから、手で電源線４を持って収納スペースＳに押し込むようなわずらわしい作業が必要なくなる。さらに、点灯装置５の電源線６が接続される出力側端子部８１を器具本体１の内側面１ｇに対向させる、つまり、電源線６を器具本体１の上面に略並行する面内において、端子台８に接続するようにしているので、端子台８と器具本体１の内側面１ｇとの間を電源線６の収納用のスペースとして利用でき、これにより器具本体１の薄型化並びに小型化を図ることができる。
【００３６】
一方、垂下片１０に端子台８を取り付けた際に、電源線４が接続される入力側端子部８０が、器具本体１の上面に略並行する面内において器具本体１の中心方向に向かないようにすれば、器具本体１の中央部を避けて電源線４を端子台８に接続することができ、器具本体１に吊下孔１ｄを介して挿入された吊りボルトＢと電源線４とが接触、干渉することを確実に防止することができるようになる。
【図面の簡単な説明】
【００３７】
【図１】本発明の照明器具に電源線を接続した状態を示す上面透視図である。
【図２】（ａ）は、同上の照明器具の断面図であり、（ｂ）は、同上の照明器具から仕切板が外れた状態を示す断面図である。
【図３】（ａ）は、同上の照明器具の上面透視図であり、（ｂ）は、同上の照明器具の下面透視図である。
【図４】（ａ）は、同上の照明器具に電源線を接続した状態を示す部分断面図であり、（ｂ）は、同上の照明器具に仕切板を取り付ける様子を示す説明図である。
【符号の説明】
【００３８】
１    器具本体
１ｅ  電源線挿通孔
１ｇ  内側面
４    電源線
８    端子台
Ｓ    収納スペース
【図１】
2006172894.tif 000003
【図２】
2006172894.tif 000004
【図３】
2006172894.tif 000005
【図４】
2006172894.tif 000006